(57)【要約】【課題】品質検査の作業性に優れ、かつ、品質検査を高精度に行える観察装置を提供することである。【解決手段】光学レンズを備えた観察装置本体と、  前記観察装置本体の先端側においてリング状に設けられた複数個の照明素子と、  前記観察装置本体の周囲に設けられたカバー体内に着脱自在に設けられた電池と、  前記照明素子と前記電池との間に設けられ、かつ、前記リング状に設けられた複数個の照明素子の中で６０°〜１２０°の円弧内に位置する該照明素子が一つのグループに属して点いたり消えたり出来るようにしたスイッチとを具備する観察装置。【選択図】    図１
0003121126.tif 000002
【実用新案登録請求の範囲】
【請求項１】
光学レンズを備えた観察装置本体と、
前記観察装置本体の先端側においてリング状に設けられた複数個の照明素子と、
前記観察装置本体の周囲に着脱自在に設けられた電源と、
前記照明素子と前記電源との間に設けられ、かつ、該照明素子を複数のグループに分けて点けたり消したりすることが出来るスイッチ
とを具備することを特徴とする観察装置。
【請求項２】
光学レンズを備えた観察装置本体と、
前記観察装置本体の先端側において該観察装置本体の中心軸芯の回りにリング状に設けられた複数個の照明素子と、
前記観察装置本体の周囲に設けられたカバー体内に着脱自在に設けられた電池と、
前記照明素子と前記電池との間に設けられ、かつ、前記リング状に設けられた複数個の照明素子の中で６０°〜１２０°の円弧内に位置する該照明素子が一つのグループに属して点いたり消えたり出来るようにしたスイッチ
とを具備することを特徴とする観察装置。
【考案の詳細な説明】
【技術分野】
【０００１】
本考案は、例えば電子部品とかハンダ付け部の品質検査、或いは食品などの異物混入検査に用いられる観察装置に関する。
【背景技術】
【０００２】
例えば、プリント基板への電子部品のハンダ付けが上手くなされているか否かは非常に重要なことである。従って、ハンダ付け終了後にはハンダ付けの品質検査が行われる。この品質検査には、各種の手法が有る。例えば、電流を流すことにより、その抵抗値の大小を測定する手法が有る。しかしながら、一番確実なのは、ハンダ付け部を目で観察することである。
【０００３】
ハンダ付け部を観察する観察装置は顕微鏡の如きの装置（拡大鏡）である。このような観察装置は、拡大系のレンズを備えたレンズ群と、目標部を照らす照明素子とを備えている。
【０００４】
しかしながら、このような従来の観察装置で細かなハンダ付け部を観察しても、ハンダ付けの良否が判り難いことも有った。
【０００５】
又、照明素子に供給する電源が観察装置本体と別体であったことから、両者を繋ぐリード線が露出しており、この露出したリード線が観察に際して非常に邪魔になっていた。
【考案の開示】
【考案が解決しようとする課題】
【０００６】
従って、本考案が解決しようとする第１の課題は、ハンダ付け部の品質検査の作業性に優れた観察装置を提供することである。
【０００７】
本考案が解決しようとする第２の課題は、ハンダ付け部の品質検査を高精度に行える観察装置を提供することである。
【課題を解決するための手段】
【０００８】
前記の課題は、光学レンズを備えた観察装置本体と、
前記観察装置本体の先端側においてリング状に設けられた複数個の照明素子と、
前記観察装置本体の周囲に着脱自在に設けられた電源と、
前記照明素子と前記電源との間に設けられ、かつ、該照明素子を複数のグループに分けて点けたり消したりすることが出来るスイッチ
とを具備することを特徴とする観察装置によって解決される。
【０００９】
特に、光学レンズを備えた観察装置本体と、
前記観察装置本体の先端側において該観察装置本体の中心軸芯の回りにリング状に設けられた複数個の照明素子と、
前記観察装置本体の周囲に設けられたカバー体内に着脱自在に設けられた電池と、
前記照明素子と前記電池との間に設けられ、かつ、前記リング状に設けられた複数個の照明素子の中で６０°〜１２０°の円弧内に位置する該照明素子が一つのグループに属して点いたり消えたり出来るようにしたスイッチ
とを具備することを特徴とする観察装置によって解決される。
【考案の効果】
【００１０】
本考案の如くに構成させた観察装置は、リード線が露出していないので、観察の作業性に優れている。
【００１１】
又、リング状に設けられた複数個の照明素子の中で６０°〜１２０°の円弧内に位置する該照明素子が一つのグループに属して点いたり消えたり出来るようにしたので、例えばハンダ付け部の観察に際してＡ方向のみから光を照射して観察したり、或いはＢ方向のみから光を照射して観察することが出来、陰影が付いた観察が出来、立体感に富んだ観察が可能であり、高精度な観察が出来る。
【考案を実施するための最良の形態】
【００１２】
本考案になる観察装置は、光学レンズを備えた観察装置本体を有する。かつ、前記観察装置本体の先端側において該観察装置本体の中心軸芯の回りにリング状に設けられた複数個の照明素子を有する。更には、観察装置本体の周囲に着脱自在に設けられた電源を有する。特に、観察装置本体の周囲に設けられたカバー体内に着脱自在に設けられた電池を有する。又、照明素子と電源との間に設けられ、かつ、照明素子を複数のグループに分けて点けたり消したりすることが出来るスイッチを有する。特に、照明素子と電池との間に設けられ、かつ、リング状に設けられた複数個の照明素子の中で６０°〜１２０°の円弧内に位置する照明素子が一つのグループに属して点いたり消えたり出来るようにしたスイッチを有する。
【００１３】
以下、更に詳しく説明する。
図１〜図３は本考案に係る観察装置の一実施形態を示す一部概略断面図である。尚、図１は側方から眺めた場合、図２は上方から眺めた場合、図３は前方から眺めた場合である。
【００１４】
１は、光学レンズ群を備えた本体である。この本体１の周囲には樹脂製ケース２が着脱自在に装着されている。そして、本体１と樹脂製ケース２との間の空間部には計４個の単４の電池が装填できるように構成されており、電池３が装填されている。
【００１５】
４，５，６は、本体１の先端側に設けられたＬＥＤである。ＬＥＤ４，５，６は合計９個設けられている。特に、９個のＬＥＤ４，５，６は、本体１の中心軸の回りにリング状に配置された構成である。そして、計３個のＬＥＤ４は一つの円における位相が３０°〜１１０°の範囲内に在るよう設けられており、計３個のＬＥＤ５は位相が１５０°〜２３０°の範囲内に在るよう設けられており、計３個のＬＥＤ６は位相が２７０°〜３５０°の範囲内に在るよう設けられている。尚、これ等の３グループのＬＥＤ４，５，６は等価的であるよう設けられている。
【００１６】
そして、図示していないが、ＬＥＤ４，５，６と電池３との間はリード線で接続されている。７，８，９はスイッチである。尚、スイッチ７はＬＥＤ４と電池３との間に設けられたスイッチであり、スイッチ８はＬＥＤ５と電池３との間に設けられたスイッチであり、スイッチ９はＬＥＤ６と電池３との間に設けられたスイッチである。そして、スイッチ７をオンにすると３個のＬＥＤ４が点灯し、スイッチ８をオンにすると３個のＬＥＤ５が点灯し、スイッチ９をオンにすると３個のＬＥＤ６が点灯し、スイッチ７をオフにすると３個のＬＥＤ４が消灯し、スイッチ８をオフにすると３個のＬＥＤ５が消灯し、スイッチ９をオフにすると３個のＬＥＤ６が消灯するよう構成されている。従って、例えばハンダ付け部を観察しようとした場合に、スイッチ７，８，９の全てをオンにすると、ハンダ付け部は周囲一周に亘って四方八方から全域が明るく照らされ陰影なく観察できるものの、スイッチ７，８，９の中の何れか一つしかオンにしなかった場合には、ハンダ付け部は一方向のみからの照射となり、陰影が付いたものとなって、立体感に富む観察が出来るようになっている。
【００１７】
従って、本考案の観察装置を用いれば、高精度な観察が行える。
【００１８】
又、リード線が露出したりしていないので、観察に際して、リード線を何かに引っ掛けて断線と言った事故が起きることも無く、その作業性に優れている。
【図面の簡単な説明】
【００１９】
【図１】本考案に係る観察装置の側方から眺めた一部概略断面図
【図２】本考案に係る観察装置の上方から眺めた一部概略断面図
【図３】本考案に係る観察装置の前方から眺めた一部概略断面図
【符号の説明】
【００２０】
１            本体
２            ケース
３            電池
４，５，６    ＬＥＤ
７，８，９    スイッチ
代  理  人  宇  高    克  己
【図１】
0003121126.tif 000003
【図２】
0003121126.tif 000004
【図３】
0003121126.tif 000005